Podtech/llm-jp-corpus-v4-ja_patent huggingface dataset:
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
加圧空気源からの加圧空気を利用して、該液体材料を小出しにする液体材料のディスペンサであって、
液体材料を受容するマニホールドであって、第１の液体材料流れを供給するための第１の液体材料通路と、第２の液体材料流れを供給するための第２の液体材料通路とを有するマニホールドと、
前記第１の液体材料通路に連通する第１のディスペンスモジュールであって、加圧空気源に連通するように適合した第１の空気通路を有する第１のディスペンスモジュールと、
前記第２の液体材料通路に連通する第２のディスペンスモジュールであって、加圧空気源に連通するように適合した第２の空気通路を有する第２のディスペンスモジュールとを備える液体材料のディスペンサであって、
該第１のディスペンスモジュールは、さらに、該第１の空気通路と連通する第１の制御を有し、
該第２のディスペンスモジュールは、さらに、該第２の空気通路と連通する第２の制御を有し、
前記第１の制御は前記第１の空気通路の第１の流量を調節するように動作し、前記第２の制御は前記第１の空気通路における前記第１の流量とは独立して、前記第２の空気通路の第２の流量を調節するように動作することを特徴とする液体材料のディスペンサ。
【請求項２】
請求項１に記載の液体材料のディスペンサであって、
前記液体材料のディスペンサにおいて、前記マニホールドが、
液体マニホールド部分と、
前記液体マニホールド部分に結合された、別々の空気マニホールド部分と、を備え、
前記空気マニホールド部分は、第１及び第２の空気通路を具備し、加圧空気源と、前記それぞれの第１のディスペンスモジュールおよび第２のディスペンスモジュールにおける前記それぞれの第１及び第２の空気通路との間に連通を提供することを特徴とする液体材料のディスペンサ。
【請求項３】
請求項２に記載の液体ディスペンサであって、
前記液体マニホールド部分は、第１及び第２の部分を具備し、前記第１の液体マニホールド部分は、前記第１の液体材料通路を具備し、前記第２の液体マニホールド部分は前記第２の液体材料通路を具備していることを特徴とする液体ディスペンサ。
【請求項４】
請求項２に記載の液体ディスペンサであって、
前記空気マニホールド部分は、第１及び第２の部分を具備し、前記第１の空気マニホールド部分は、前記第１の空気通路を具備し、前記第２の空気マニホールド部分は、前記第２の空気通路を具備していることを特徴とする液体ディスペンサ。
【請求項５】
請求項１に記載の液体材料のディスペンサであって、
前記液体材料のディスペンサにおいて、前記マニホールドがさらに、
第１及び第２の空気通路と、
前記第１の空気通路は、加圧空気源と、前記第１のディスペンスモジュールにおける前記第１の空気通路との間に連通を提供し、
前記第２の空気通路は、加圧空気源と、前記第２のディスペンスモジュールにおける前記第２の空気通路との間に連通を提供することを特徴とする液体材料のディスペンサ。
【請求項６】
請求項５に記載の液体材料のディスペンサであって、
前記マニホールドは、第１及び第２の部分を備え、前記第１の部分は、前記第１の液体材料通路と、前記第１の空気通路とを備え、前記第２の部分は、前記第２の液体材料通路と、前記第２の空気通路とを備えていることを特徴とする液体材料のディスペンサ。
【手続補正書】
【提出日】平成21年11月12日(2009.11.12)
【手続補正１】
【補正対象書類名】明細書
【補正対象項目名】００７９
【補正方法】変更
【補正の内容】
【００７９】
発明の細胞は、炎症および埋め込み部位の拒絶反応を推進する因子の発現を「ノックアウト」もしくは「ノックダウン」するように遺伝子操作されてもよい。標的遺伝子の発現レベルもしくは標的遺伝子産物の活性レベルを低減するための陰性調節技術を、以下で説明する。本願で用いられるような「陰性調節」は、調節処理の不存在下の標的遺伝子産物のレベルおよび／もしくは活性に対する、標的遺伝子産物のレベルおよび／もしくは活性の低減をいう。骨格筋細胞、血管平滑筋細胞、周皮細胞、血管内皮細胞、もしくは、それらの前駆細胞に元々存在する遺伝子発現を、例えば、相同組み換え技術を使用した遺伝子の不活性化による発現抑制を含む、いくつかの技術を使用することで、低減するか、またはノックアウトすることができる。一般的に、標的遺伝子の正常なmRNAの産生を阻害し、結果的に遺伝子の不活性化を生じる陽性選択マーカー（例えば、neo）によって、タンパク質の重要な領域をコードするエキソン（すなわち、その領域の５’側エキソン）が、割り込まれる。また、遺伝子の一部に欠失を作り出すことで、もしくは、全体の遺伝子を欠失することによって、遺伝子を不活性化してもよい。ゲノム中で、離れた、標的遺伝子と相同な２つの領域の構築物を用いることによって、２つの領域に介在する配列を欠失することができる（Mombaerts他, 1991, Proc. Nat. Acad. Sd. U.S.A. 88: 3084-3087）。また、アンチセンス、DNAザイム、リボザイム、低分子干渉RNA(small interfering RNA)（siRNA）、および、標的遺伝子の発現を抑制する他のこのような分子を、標的遺伝子活性のレベルを低減するために用いることができる。例えば、主要組織適合性遺伝子複合体（HLA）の発現を抑制するアンチセンスRNA分子は、免疫反応について、最も多用途であることが示されてきた。更に、三重らせん分子を、標的遺伝子活性のレベルを低減するために利用することができる。これらの技術は、L.G. Davis他 (編集), 1994, BASIC METHODS IN MOLECULAR BIOLOGY, 2nd ed., Appleton & Lange, Norwalk, CNに詳細に説明されている。
【手続補正２】
【補正対象書類名】明細書
【補正対象項目名】００９９
【補正方法】変更
【補正の内容】
【００９９】
他の実施態様では、本発明の製薬組成物のために、異なる分解性ゲルおよびネットワークを利用する。例えば、持続的な放出処方に特に適当な分解性材料は、ポリ（乳酸）、ポリ（乳酸-co-グリコール酸）、メチルセルロース、ヒアルロン酸、コラーゲン、および、同様のもののような生物適合性ポリマーを含む。薬剤送達媒体における分解性ポリマーの構造、選択、使用は、A. Domb他, 1992, Polymers for Advanced Technologies 3: 279-292を含む、いくつかの刊行物に概説されてきた。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
痛風または偽痛風の治療に用いるための、ＩＬ−Ｉ、またはＮＡＬＰ３インフラマソームによるその成熟を遮断する阻害剤を含んでなる、医薬組成物。
【請求項２】
ＩＬ−Ｉが、ＩＬ−１αおよびＩＬ−１βからなる群から選択される、請求項１に記載の医薬組成物。
【請求項３】
ＮＡＬＰ３インフラマソームによるＩＬ−１の成熟を遮断する阻害剤が、ＮＡＬＰ３インフラマソーム形成の阻害剤およびＮＡＬＰ３インフラマソーム活性の阻害剤からなる群から選択される、請求項１または２に記載の医薬組成物。
【請求項４】
ＮＡＬＰ３インフラマソーム形成の阻害剤が、ＨＳＰ９０の阻害剤である、請求項３に記載の医薬組成物。
【請求項５】
ＨＳＰ９０の阻害剤が、ゲルダナマイシン、１７−ＡＡＧ（１７−（アリルアミノ）−１７−デメトキシゲルダナマイシン）および１７−ＤＭＡＧ（１７−（ジメチルアミノエチルアミノ）−１７−デメトキシゲルダナマイシン）からなる群から選択される、請求項４に記載の医薬組成物。
【請求項６】
ＩＬ−１を遮断する阻害剤が、ＩＬ−１の活性を阻害する抗体から選択される、請求項１または２に記載の医薬組成物。
【請求項７】
抗ＩＬ−１抗体が、モノクローナル抗体である、請求項６に記載の医薬組成物。
【請求項８】
ＩＬ−１を遮断する阻害剤が、ＩＬ−１とその受容体（ＩＬ−１Ｒ  Ｉ型）との結合を阻害する抗体から選択される、請求項１または２に記載の医薬組成物。
【請求項９】
抗体が、抗ＩＬ−１ＲＩ抗体である、請求項８に記載の医薬組成物。
【請求項１０】
抗ＩＬ−１ＲＩ抗体が、モノクローナル抗体である、請求項９に記載の医薬組成物。
【請求項１１】
ＩＬ−１を遮断する阻害剤が、ＩＬ−１受容体アンタゴニスト（ＩＬ−１  Ｒａ）である、請求項１または２に記載の医薬組成物。
【請求項１２】
ＩＬ−１Ｒａが、アナキンラである、請求項１１に記載の医薬組成物。
【請求項１３】
ＩＬ−１、またはＮＡＬＰ３インフラマソームによるその成熟を遮断する阻害剤が、１日１回、ＩＬ−１活性を阻害するのに十分な用量で投与される、請求項１〜１２のいずれか一項に記載の医薬組成物。
【請求項１４】
ＩＬ−１、またはＮＡＬＰ３インフラマソームによるその成熟を遮断する阻害剤が、１週間に１回、ＩＬ−１活性を阻害するのに十分な用量で投与される、請求項１〜１２のいずれか一項に記載の医薬組成物。
【請求項１５】
ＩＬ−１、またはＮＡＬＰ３インフラマソームによるその成熟を遮断する阻害剤が、１か月に１回、ＩＬ−１活性を阻害するのに十分な用量で投与される、請求項１〜１２のいずれか一項に記載の医薬組成物。
【請求項１６】
アナキンラが、１日１回、１００ｍｇ／日の用量で１、２または３日間投与される、請求項１２に記載の医薬組成物。
【請求項１７】
ＩＬ−１、またはＮＡＬＰ３によるその成熟を遮断する阻害剤が、少なくとも１種の第二の抗痛風化合物と併用される、請求項１〜１６のいずれか一項に記載の医薬組成物。
【請求項１８】
第二の抗痛風化合物が、コルヒチン、アロプリノールおよびウリカーゼからなる群から選択される、請求項１７に記載の医薬組成物。
【請求項１９】
ＩＬ−１、またはＮＡＬＰ３インフラマソームによるその成熟を遮断する阻害剤が、少なくとも１種の抗炎症性化合物または組成物と併用される、請求項１〜１８のいずれか一項に記載の医薬組成物。
【請求項２０】
抗炎症性化合物または組成物が、プレドニゾン、ベタメタゾン、デキサメタゾン、メチルプレドニゾロン、プレドニゾロン、コルチバゾール、ヒドロコルチゾン、トリアムシノロン、インドメタシン、スリンダック、チアプロフェン酸、アルミノプロフェン、ジクロフェナク、エトドラック、フルルビプロフェン、イブプロフェン、ケトプロフェン、ナブメトン、ナプロキセン、メロキシカム、ピロキシカム、テノキシカム、セレコキシブおよびレフェコキシブからなる群から選択される、請求項１９に記載の医薬組成物。
【請求項２１】
炎症性障害の治療に用いるための、ＨＳＰ９０の阻害剤を含んでなる、医薬組成物。
【請求項２２】
ＨＳＰ９０の阻害剤が、ゲルダナマイシン、１７−ＡＡＧ（１７−（アリルアミノ）−１７−デメトキシゲルダナマイシン）および１７−ＤＭＡＧ（１７−（ジメチルアミノエチルアミノ）−１７−デメトキシゲルダナマイシン）からなる群から選択される、請求項２１に記載の医薬組成物。
【請求項２３】
炎症性障害が、痛風、偽痛風、マックル・ウェルズ症候群、遺伝性周期性発熱、家族性地中海熱、家族性寒冷誘導自己炎症症候群、ブラウ症候群、関節リウマチ、変形性関節症、全身型若年性特発性関節炎、乾癬、狼瘡、多発性硬化症、喘息、慢性閉塞性肺疾患、炎症性腸疾患、クローン病、アテローム性動脈硬化症、アルツハイマー病、パーキンソン病などの自己免疫および自己炎症性疾患からなる群から選択される、請求項２１または２２に記載の医薬組成物。
【手続補正書】
【提出日】平成22年1月4日(2010.1.4)
【手続補正１】
【補正対象書類名】特許請求の範囲
【補正対象項目名】全文
【補正方法】変更
【補正の内容】
【特許請求の範囲】
【請求項１】
ＳＩＲＳ段階及びＣＡＲＳ段階を特徴とする病状を有する重篤な患者に栄養を供給する臨床用栄養製品であって、
ＳＩＲＳ段階にある患者用の第１の栄養組成物と、
ＣＡＲＳ段階にある患者用の第２の異なる栄養組成物とを含む臨床用栄養製品。
【請求項２】
第１の栄養組成物が、タンパク源、炭水化物源、脂質源、ビタミン類、ミネラル類及びそれらの組合せからなる群から選択される少なくとも１つの成分を含む、請求項１に記載の臨床用栄養製品。
【請求項３】
タンパク源がスレオニンを含む、請求項２に記載の臨床用栄養製品。
【請求項４】
タンパク源が、甘味ホエータンパク質、カゼイン−糖マクロペプチド、遊離スレオニンを添加したカゼイン、スレオニンを含有する化合物及びそれらの組合せからなる群から選択される成分を含む、請求項２に記載の臨床用栄養製品。
【請求項５】
タンパク源がシステインを含む、請求項２に記載の臨床用栄養製品。
【請求項６】
タンパク源が、ホエータンパク質、遊離グルタチオン、システイン前駆体、プロドラッグ及びそれらの組合せからなる群から選択される成分を含む、請求項２に記載の臨床用栄養製品。
【請求項７】
タンパク源がタンパク加水分解物を含む、請求項２に記載の臨床用栄養製品。
【請求項８】
タンパク源が、加水分解されたホエータンパク質を含む、請求項２に記載の臨床用栄養製品。
【請求項９】
炭水化物源が、マルトデキストリン、コーンスターチ、化工デンプン、ショ糖及びそれらの組合せからなる群から選択される成分を含む、請求項２に記載の臨床用栄養製品。
【請求項１０】
第１の栄養組成物がラクトースを含有しない、請求項２に記載の臨床用栄養製品。
【請求項１１】
脂質源が中鎖トリグリセリドと長鎖トリグリセリドとの混合物を含む、請求項２に記載の臨床用栄養製品。
【請求項１２】
脂質源が少なくとも約３０重量％から約８０重量％の中鎖トリグリセリドを含む、請求項１１に記載の臨床用栄養製品。
【請求項１３】
脂質源が、ヒマワリ油、ナタネ油、ダイズ油、乳脂、トウモロコシ油、ダイズレシチン、ヤシ油及びそれらの組合せからなる群から選択される成分を含む、請求項２に記載の臨床用栄養製品。
【請求項１４】
第１の栄養組成物が、多価不飽和脂肪酸オメガ６（ｎ−６）とオメガ３（ｎ−３）との比が約１：１から約１０：１となるように設計された脂質プロフィールを含む、請求項２に記載の臨床用栄養製品。
【請求項１５】
第１の栄養組成物が、溶解性の粉末、濃縮液、直接飲用可能な製剤及びそれらの組合せの形態である、請求項２に記載の臨床用栄養製品。
【請求項１６】
第２の異なる栄養組成物が、タンパク源、脂質源、炭水化物源及びそれらの組合せからなる群から選択される少なくとも１つの成分を含む、請求項１に記載の臨床用栄養製品。
【請求項１７】
タンパク源がタンパク加水分解物を含む、請求項１６に記載の臨床用栄養製品。
【請求項１８】
タンパク加水分解物がシステインを含む、請求項１７に記載の臨床用栄養製品。
【請求項１９】
タンパク源が、カゼイン加水分解物、ホエー加水分解物及びそれらの組合せからなる群から選択される成分を含む、請求項１６に記載の臨床用栄養製品。
【請求項２０】
タンパク源が、一部を遊離アミノ酸として含む、請求項１６に記載の臨床用栄養製品。
【請求項２１】
脂質源は、中鎖トリグリセリドと長鎖トリグリセリドとの混合物を含む、請求項１６に記載の臨床用栄養製品。
【請求項２２】
脂質源が、ヤシ油、魚油、ヒマワリ油、ナタネ油、ダイズ油、乳脂、トウモロコシ油、ダイズレシチン及びそれらの組合せからなる群から選択される成分を含む、請求項１６に記載の臨床用栄養製品。
【請求項２３】
脂質源が、オメガ３に富む脂肪酸を含有する、請求項１６に記載の臨床用栄養製品。
【請求項２４】
第２の栄養組成物が、多価不飽和脂肪酸オメガ６（ｎ−６）とオメガ３（ｎ−３）との比が約１：１から約１０：１となるように設計された脂質プロフィールを含む、請求項１６に記載の臨床用栄養製品。
【請求項２５】
炭水化物源が、マルトデキストリン、コーンスターチ、化工デンプン、ショ糖及びそれらの組合せからなる群から選択される成分を含む、請求項１６に記載の臨床用栄養製品。
【請求項２６】
第２の栄養組成物がラクトースを含有しない、請求項１６に記載の臨床用栄養製品。
【請求項２７】
第２の栄養組成物が、溶解性の粉末、濃縮液、直接飲用可能な製剤及びそれらの組合せの形態である、請求項１６に記載の臨床用栄養製品。
【請求項２８】
重篤な患者に栄養を供給する臨床用栄養製品であって、
ＳＩＲＳ段階の間に患者に投与する、スレオニンを含むタンパク源、炭水化物源、脂質源、ビタミン及びミネラルを含む第１の栄養組成物と、
ＣＡＲＳ段階の間に患者に投与する、タンパク加水分解物及び遊離アミノ酸を含むタンパク源、脂質源及び炭水化物源を含む第２の異なる栄養組成物と
を含む臨床用栄養製品。
【請求項２９】
重篤な患者に栄養を供給する臨床用栄養製品であって、
ストレスに対する患者の全身性炎症反応から生じるＳＩＲＳ段階にある間に患者に投与する、スレオニンを有するタンパク源、システインを有するタンパク源、並びに中鎖トリグリセリド及び長鎖トリグリセリドの混合物を有する脂質源を含む第１の栄養組成物と、
ストレスに対する患者の代償性抗炎症反応から生じるＣＡＲＳ段階にある間に患者に投与する、タンパク加水分解物を有するタンパク源及び一部を遊離アミノ酸として有するタンパク源を含む第２の異なる栄養組成物と
を含む臨床用栄養製品。
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
少なくとも５００ｍｇのグアバ葉の水溶性抽出物、及び医薬として許容される担体を含んで成る組成物を哺乳動物に投与すること、及び
アルコールを哺乳動物に投与すること
を含んで成る、哺乳動物を処置する方法。
【請求項２】
哺乳動物が、組成物の投与前に上昇した血中アルコール含有量を有し、当該投与が、哺乳動物の血中アルコール含有量を低下させるのに十分な量のグアバ抽出物を投与することを含んで成る、請求項１に記載の方法。
【請求項３】
組成物の投与が、少なくとも１０００ｍｇのグアバ葉の水溶性抽出物の哺乳動物への投与を含んで成る、請求項１に記載の方法。
【請求項４】
少なくとも５００ｍｇのグアバ葉の水溶性抽出物、及び医薬として許容される担体を含んで成る、経口投与形態の組成物。
【請求項５】
医薬として許容される担体が、酸及び塩基を含んで成る発泡剤を含んで成る、請求項４の組成物を含んで成る固形発泡性組成物。
【手続補正書】
【提出日】平成21年12月22日(2009.12.22)
【手続補正１】
【補正対象書類名】特許請求の範囲
【補正対象項目名】全文
【補正方法】変更
【補正の内容】
【特許請求の範囲】
【請求項１】
節足動物を駆除するための懸濁液濃縮組成物であって、該組成物の総質量に基づく質量で、
（ａ）０.１〜４０％の少なくとも１つの室温で固体のカルボキサミド節足動物駆除物質；
（ｂ）０〜２０％の少なくとも１つのその他の生物活性物質；
（ｃ）３０〜９５％の少なくとも１つの水不混和性の液体担体；
（ｄ）０〜５０％の少なくとも１つの乳化剤；
（ｅ）０.０１〜１０％のシリカ増粘剤；
（ｆ）０.１〜１０％の、水、Ｃ1〜Ｃ12アルカノール、および、Ｃ2〜Ｃ3グリコールから選択される少なくとも１つのプロトン性溶媒；および、
（ｇ）０.００１〜５％の少なくとも１つの水溶性カルボン酸、
を含む、上記組成物。
【請求項２】
構成要素（ａ）は、式１：
【化１】
2009522358.tif 000001
［式中、
Ｘは、Ｎ、ＣＦ、ＣＣｌ、ＣＢｒまたはＣＩであり；
Ｒ1は、ＣＨ3、Ｃｌ、ＢｒまたはＦであり；
Ｒ2は、Ｈ、Ｆ、Ｃｌ、Ｂｒまたは−ＣＮであり；
Ｒ3は、Ｆ、Ｃｌ、Ｂｒ、Ｃ1〜Ｃ4ハロアルキル、または、Ｃ1〜Ｃ4ハロアルコキシであり；
Ｒ4aは、Ｈ、Ｃ1〜Ｃ4アルキル、シクロプロピルメチル、または、１−シクロプロピルエチルであり；
Ｒ4bは、Ｈ、または、ＣＨ3であり；
Ｒ5は、Ｈ、Ｆ、Ｃｌ、または、Ｂｒであり；そして、
Ｒ6は、Ｈ、Ｆ、Ｃｌ、または、Ｂｒである］
で示されるアントラニルアミド、それらのＮ−酸化物および塩から選択される請求項１に記載の組成物。
【請求項３】
構成要素（ａ）は、式２：
【化２】
2009522358.tif 000002
［式中、
Ｒ11は、ＣＨ3、Ｃｌ、ＢｒまたはＩであり；
Ｒ12は、ＣＨ3、または、Ｃｌであり；
Ｒ13は、Ｃ1〜Ｃ3フルオロアルキルであり；
Ｒ14は、Ｈ、または、ＣＨ3であり；
Ｒ15は、Ｈ、または、ＣＨ3であり；
Ｒ16は、Ｃ1〜Ｃ2アルキルであり；そして、
ｎは、０、１または２である］
で示されるフタル酸ジアミド、および、それらの塩から選択される請求項１に記載の組成物。
【請求項４】
構成要素（ａ）は、組成物の５〜２５質量％であり；構成要素（ｂ）は、組成物の０〜１５質量％であり；構成要素（ｃ）は、Ｃ1〜Ｃ4アルカノールの脂肪酸エステル、アルコキシル化脂肪酸エステル、植物油、および、鉱油からなる群より選択される少なくとも１つの物質を含み、そして、組成物の４０〜７０質量％であり；構成要素（ｄ）は、アニオン性界面活性剤、非イオン界面活性剤、および、これらの混合物から選択され、そして、組成物の１０〜４０質量％であり；構成要素（ｅ）は、組成物の０.０１〜５質量％であり；構成要素（ｆ）は、組成物の０.５〜５質量％であり；そして、構成要素（ｇ）は、組成物の０.０１〜５質量％である、請求項１〜３のいずれか一項に記載の組成物。
【請求項５】
構成要素（ｃ）は、Ｃ1〜Ｃ2アルカノールの飽和または不飽和Ｃ16〜Ｃ18脂肪酸エステルを含み、そして、組成物の５０〜６０質量％であり；構成要素（ｄ）は、アニオン性界面活性剤、および、非イオン界面活性剤の混合物を含み、ここにおいて該アニオン性界面
活性剤の該非イオン界面活性剤に対する比率は、２：１〜１：１０の範囲であり；構成要素（ｅ）は、ヒュームドシリカを含み；構成要素（ｆ）は、水を含み、この水は、組成物の０.５〜５質量％であり；そして、構成要素（ｇ）は、クエン酸を含み、そして該クエン酸は、組成物の０.０１〜２質量％である、請求項４に記載の組成物。
【請求項６】
構成要素（ｃ）は、ヒマワリ、ダイズ、綿またはリンシードのメチル化種油を含む、請求項４に記載の組成物。
【請求項７】
アニオン性界面活性剤は、直鎖アルキルベンゼンスルホン酸塩であり、非イオン界面活性剤は、エトキシ化ソルビトールエステル、エトキシ化ソルビタンエステル、エトキシ化脂肪酸エステル、および、それらの混合物から選択され、該アニオン性界面活性剤の該非イオン界面活性剤に対する比率は、質量で２：１〜１：５の範囲である、請求項４に記載の組成物。
【請求項８】
少なくとも１つのその他の生物活性物質は、アバメクチン、アセタミプリド、アミトラズ、エバーメクチン、アザジラクチン、ビフェントリン、ブプロフェジン、カルタップ、クロルフェナピル、クロルピリホス、クロチアニジン、シフルトリン、ベータ−シフルトリン、シハロトリン、ラムダ−シハロトリン、シペルメトリン、シロマジン、デルタメトリン、ジエルドリン、ジノテフラン、ジオフェノラン、エマメクチン、エンドスルファン、エスフェンバレレート、エチプロール、フェノチオカルブ、フェノキシカルブ、フェンバレラート、フィプロニル、フロニカミド、フルフェノクスロン、ヘキサフルムロン、ヒドラメチルノン、イミダクロプリド、インドキサカルブ、ルフェヌロン、メタフルミゾン、メトミル、メトプレン、メトキシフェノジド、ニテンピラム、ニチアジン、ノバルロン、オキサミル、ピメトロジン、ピレトリン、ピリダベン、ピリダリル、ピリプロキシフェン、リアノジン、スピネトラム、スピノサド、スピロジクロフェン、スピロメシフェン、テブフェノジド、チアクロプリド、チアメトキサム、チオジカルブ、チオスルタップ−ナトリウム、トラロメトリン、トリアザメート、トリフルムロン、バチルス・チューリンゲンシス  サブスピーシズ  アイザワイ、バチルス・チューリンゲンシス  サブスピーシズ  クルスターキ、核多角体病ウイルス、および、バチルス・チューリンゲンシスのカプセル封入されたδ−内毒素から選択される、請求項１に記載の組成物。
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
個体における癌の治療用薬剤の製造のための抗HER2抗体及び抗EGFR抗体又はその免疫学的に有効な断片を含む医薬組成物の使用であって、前記個体における前記癌が、EGFR及びHER2を発現させ、ここで、HER"が、抗HER2抗体治療単独で有意に応答するのに充分でない低レベルで発現される、前記使用。
【請求項２】
前記抗HER2抗体が、単独で投与される場合、HER2二量体化及び/又はHER2/EGFRヘテロ二量体化を全く阻害しないか又はほとんど阻害せず、前記抗EGFR抗体が、単独で投与される場合、EGFR二量体化及び/又はEGFR/HER2ヘテロ二量体化を著しく阻害する、請求項1に記載の医薬組成物の使用。
【請求項３】
前記癌が、HER2を過剰発現させないが、EGFRを過剰発現させる、請求項1又は2に記載の医薬組成物の使用。
【請求項４】
前記抗HER2抗体が、マウス、キメラ又はヒト化のmAb 4D5(トラスツズマブ)であり、前記抗EGFR抗体が、マウス、キメラ又はヒト化のmAb 425(マツズマブ)である、請求項1-3のいずれか1項に記載の医薬組成物の使用。
【請求項５】
前記癌が、膵臓癌又は乳癌である、請求項1-4のいずれか1項に記載の医薬組成物の使用。
【請求項６】
シスプラチン、ドキソルビシン、ゲムシタビン、ドセタキセル、パクリタキセル、ブレオマイシン及びイリノテカン、VEGF受容体阻害剤、小分子チロシンキナーゼ阻害剤、抗血管新生剤、又はサイトカインからなる群より選ばれる細胞毒性剤が、更に、投与される、請求項1-5のいずれか1項に記載の医薬組成物の使用。
【請求項７】
前記抗体の一方又は双方が、そのC末端で免疫サイトカインに融合され、リンカーを経て融合されてもよい、請求項1-6のいずれか1項に記載の医薬組成物の使用。
【請求項８】
抗HER2抗体による個体における癌の治療の効力を改善する薬剤の製造のための抗HER2抗体及び抗EGFR抗体を含む医薬組成物の使用であって、前記個体における前記癌が、前記抗HER2抗体治療単独に有意に応答するのに充分でないレベルでのHER2と、抗EGFR抗体に著しく応答するのに充分であるレベルでのEGFRを発現させる、前記医薬組成物の使用。
【請求項９】
前記抗HER2抗体が、単独で投与される場合、HER2二量体化及び/又はHER2/EGFRヘテロ二量体化を全く又はほとんど阻害せず、前記抗EGFR抗体が、単独で投与される場合、EGFR二量体化及び/又はEGFR/HER2ヘテロ二量体化を著しく阻害する、請求項8に記載の医薬組成物の使用。
【請求項１０】
前記抗HER2抗体が、マウス、キメラ又はヒト化のmAb 4D5(トラスツズマブ)であり、前記抗EGFR抗体が、マウス、キメラ又はヒト化のmAb 425(マツズマブ)である、請求項8又は9に記載の医薬組成物の使用。
【請求項１１】
前記癌が、膵臓又は乳房癌である、請求項8-10のいずれか1項に記載の医薬組成物の使用。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
以下から選択される抗-FAP-α抗体分子、又はそのフラグメント若しくは誘導体：
a. 以下によって定義されるマウスモノクロナール抗体：
i. 配列(配列番号1)のaa20〜136の領域を含む可変重鎖；
ii. 配列(配列番号2)のaa23〜129の領域を含む可変軽鎖及び
iii. IgG2aκサブクラス；
b. a)で定義したマウスモノクロナールからCDR移植又はリサーフェイシングによって誘導されるキメラ抗体；
c. a)で定義したマウスモノクロナールからCDR移植又はリサーフェイシングによって誘導されるヒト化抗体。
【請求項２】
前記キメラ抗体b)が以下によって定義される、請求項1の抗体分子：
i. 配列(配列番号1)のaa20〜136の領域を含む可変重鎖；
ii. 配列(配列番号2)のaa23〜129の領域を含む可変軽鎖及び
iii. ヒト由来である定常重鎖及び軽鎖。
【請求項３】
前記キメラ抗体が、ヒト重鎖定常部(配列番号3)に融合した、配列(配列番号1)のaa20〜136の領域を含む重鎖可変部と、ヒト軽鎖定常部(配列番号4)に融合した、配列(配列番号2)のaa23〜129の領域を含む軽鎖可変部とを有する、請求項2の抗体分子。
【請求項４】
マウス及びヒトの両FAP-αと反応する、請求項1〜3のいずれか1項の抗体分子。
【請求項５】
下記式(I)：
A(LB)n      (式(I))
（式中、
Aは、請求項1〜4のいずれか1項の定義通りの抗-FAP-α抗体、又はそのフラグメント若しくは誘導体であり；
Lはリンカー成分であり；
Bは細胞毒性薬であり；及び
nはn=1〜10の10進数である）
の免疫複合体。
【請求項６】
前記リンカー成分が細胞内で開裂できる化学結合を有する、請求項5の免疫複合体。
【請求項７】
前記細胞毒性薬Bがマイタンシノイドである、請求項5又は6の免疫複合体。
【請求項８】
前記マイタンシノイドがDM1又はDM4である、請求項7の免疫複合体。
【請求項９】
前記リンカーが3-(2-ピリジルジチオ)プロピオン酸N-スクシンイミジル(SPDP)、4-(2-ピリジルジチオ)ペンタン酸N-スクシンイミジル(SPP)、4-(N-マレイミドメチル)シクロヘキサン-1-カルボン酸N-スクシンイミジル(SMCC)から選択される、請求項5の免疫複合体。
【請求項１０】
請求項5〜9のいずれか1項の免疫複合体の製造方法であって、以下の工程を含む方法：(a)1つ以上のチオール基を、請求項1で定義した抗体分子中に導入する工程；
(b)工程(a)で得た抗体分子をマイタンシノイドと反応させる工程；
(c)結果として生じた抗体マイタンシノイド複合体を回収する工程。
【請求項１１】
請求項5〜9のいずれか1項の免疫複合体と、医薬的に許容しうる担体、希釈剤、又は賦形剤とを含んでなる医薬組成物。
【請求項１２】
癌の治療用の請求項11の医薬組成物。
【請求項１３】
前記癌が、結腸直腸癌、非小細胞肺癌、乳癌、頭頚部癌、卵巣癌、肺癌、浸潤性膀胱癌、膵臓癌、脳の転移性癌、甲状腺癌、頭頚部扁平上皮癌、食道扁平上皮癌、肺扁平上皮癌、皮膚扁平上皮癌、メラノーマ、乳腺癌、肺腺癌、子宮頚部扁平上皮癌、膵臓扁平上皮癌、結腸扁平上皮癌、又は胃扁平上皮癌、前立腺癌、骨肉腫又は軟組織肉腫及びFAPを発現する良性腫瘍から選択される、請求項12の医薬組成物。
【請求項１４】
リウマチ性関節炎の治療用の請求項11の医薬組成物。
【手続補正書】
【提出日】平成21年12月21日(2009.12.21)
【手続補正１】
【補正対象書類名】特許請求の範囲
【補正対象項目名】全文
【補正方法】変更
【補正の内容】
【特許請求の範囲】
【請求項１】
ＨＦまたは別の水素含有化合物が副生成物として生成している元素状フッ素反応器供給原料と、フッ素化される有機化合物から本質的になる反応器供給原料とを接触させるステップを含むフッ素化反応を行う方法であって、前記元素状フッ素をフッ化物吸着組成物の存在下で前記有機化合物と接触させ、ＨＦまたは別の水素含有副生成物の量を低減させるかまたは無くすようにするステップを含む方法。
【請求項２】
前記フッ化物吸着組成物がフッ化ナトリウムを含む、請求項１に記載の方法。
【請求項３】
前記反応により生成されたＨＦまたは別の水素含有副生成物の量を検出し、前記副生成物の量の増加が検出された場合、前記フッ化物吸着組成物を補給するステップをさらに含む、請求項１に記載の方法。
【請求項４】
反応域（１２）、フッ素化される有機化合物を前記反応域へ供給するための入口（１８）、元素状フッ素を前記反応域へ供給するための入口（１６）、およびフッ素化された反応生成物を回収するための出口（２８）を含むフッ素化反応器であって、前記反応域が、前記有機化合物と前記元素状フッ素との反応の副生成物として生成されるＨＦを吸着するためのフッ化物吸着組成物（１４）を含む反応器。
【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
対象への経口経粘膜投与のための小容量錠剤であって、約２．５マイクログラム（ｍｃｇ）〜約１００ｍｃｇのサフェンタニルおよび生体接着性物質を含み、該錠剤は該対象の口腔粘膜に接着し、最小の唾液応答および薬物の最小嚥下しか生じず、そして該錠剤は実質的に均一な組成物である、錠剤。
【請求項２】
前記錠剤の完全な侵食は、約５分、約１０分および約１５分からなる群より選択される時間後にのみ、目視試験により明らかになる、請求項１に記載の錠剤。
【請求項３】
前記錠剤は、３０ｍｇ未満の質量または３０マイクロリットル（ｍｃｌ）未満の容量を有する、請求項１または２に記載の錠剤。
【請求項４】
前記錠剤は、約０．５〜約３．０ｍｍの厚みを有する、請求項１〜３のいずれか１項に記載の錠剤。
【請求項５】
前記経口経粘膜投与は、舌下投与または経頬投与である、請求項１〜４のいずれか１項に記載の錠剤。
【請求項６】
前記錠剤は、５ｍｃｇ、１０ｍｃｇ、１５ｍｃｇ、２０ｍｃｇ、３０ｍｃｇ、４０ｍｃｇ、５０ｍｃｇ、６０ｍｃｇ、７０ｍｃｇ、８０ｍｃｇおよび１００ｍｃｇからなる群より選択されるサフェンタニルの用量を含む、請求項１〜５のいずれか１項に記載の錠剤。
【請求項７】
対象への前記錠剤の単一の経口経粘膜投与の結果、５０％を超える生物学的利用能をもたらす、請求項１〜６のいずれか１項に記載の錠剤。
【請求項８】
前記錠剤の薬物の合計量の少なくとも５５％が経口経粘膜経路を介して吸収される、請求項１〜７のいずれか１項に記載の錠剤。
【請求項９】
前記錠剤が装置を用いて投与される、請求項１〜８のいずれか１項に記載の錠剤。
【請求項１０】
対象への前記錠剤の投与の後、得られるＴｍａｘは、４０％未満の変動係数を有する、請求項１〜９のいずれか１項に記載の錠剤。
【請求項１１】
対象への前記錠剤の単一の経口経粘膜投与は、約３０分〜約４時間の血漿半減期をもたらす、請求項１〜１０のいずれか１項に記載の錠剤。
【請求項１２】
前記錠剤は、約１０ｍｃｇ〜約１５ｍｃｇのサフェンタニルの用量を含む、請求項１〜１１のいずれか１項に記載の錠剤。
【請求項１３】
疼痛の治療における使用のための、請求項１〜８のいずれか１項に記載の錠剤であって、該疼痛は、急性痛、突出痛または術後痛である、錠剤。
【請求項１４】
疼痛の治療のための医薬の調製のための、請求項１〜１０のいずれか１項に記載の錠剤の使用であって、該疼痛は、急性痛、突出痛または術後痛である、使用。
【手続補正書】
【提出日】平成21年12月22日(2009.12.22)
【手続補正１】
【補正対象書類名】特許請求の範囲
【補正対象項目名】請求項７
【補正方法】変更
【補正の内容】
【請求項７】
前記二重機能ステーションは、第１及び第２のユニットを含み、各ユニットは、少なくともそれぞれのアンテナを含み、機械的に柔軟な接続を介して接続されており、前記第１のユニットは、前記関連付け要求メッセージのうちの第１の関連付け要求メッセージを送信し且つ前記関連付け許可のうちの第１の関連付け許可を受信するように構成されており、前記第２のユニットは、前記関連付け要求メッセージのうちの第２の関連付け要求メッセージを受信し且つ前記関連付け要求メッセージのうちの前記第１の関連付け要求メッセージに応答する前記関連付け許可のうちの第２の関連付け許可を送信するように構成されている、請求項２に記載の無線通信ネットワーク。
【手続補正２】
【補正対象書類名】特許請求の範囲
【補正対象項目名】請求項１４
【補正方法】変更
【補正の内容】
【請求項１４】
無線通信ネットワークにおいて使用するための二重機能ステーションであって、前記二重機能ステーションは、
第１のユニット及び第２のユニットであって、該第１のユニット及び第２のユニットそれぞれが送信器及び受信器を含み、該第１のユニット及び第２のユニットそれぞれが前記送信器及び前記受信器に接続された１以上のアンテナをそれぞれ含み、該第１のユニット及び第２のユニットそれぞれが相互に異なる周波数チャンネルで同時に動作するように構成されている、前記第１のユニット及び第２のユニットと、
前記第１及び第２のユニットの前記送信器及び前記受信器に接続されたプロセッサ回路であって、該プロセッサ回路は、第１の周期的時間スロットにおいて前記第１のユニットの前記受信器を起動させ、かつ前記第２の周期的時間スロットの前記受信器を起動させ、前記第１及び第２の時間スロットは互いに非同期であり、前記第１のユニットにおいて受信されたメッセージを前記第２のユニットによる送信のために中継し、その逆も同様であるように構成されている、前記プロセッサ回路と
を含む、前記二重機能ステーション。
【手続補正３】
【補正対象書類名】明細書
【補正対象項目名】００２３
【補正方法】変更
【補正の内容】
【００２３】
図１は、無線ネットワークを示す。ネットワークは、関連付けユニット１０、複数のビーコンフレーム送信機１２、及び複数のセンサーステーション１４（いくつかのみ明示的に番号を付けられている）を含む。固定の通信経路が、関連付けユニット１０とセンサユニット１４との間で、関連付けユニット１０、ビーコンフレーム送信機１２及びセンサーステーション１４の間の無線通信リンク（点線で示されている）を用いて定義されている。通信経路は、そのルートに関連付けユニット１０があり、そのノードにビーコンフレーム送信機１２がある、ツリー構造を形成する。各ビーコンフレーム送信機１２は、複数のセンサーステーション１４に、スター型トポロジーで接続される。
【手続補正４】
【補正対象書類名】明細書
【補正対象項目名】００２４
【補正方法】変更
【補正の内容】
【００２４】
図２は、ステーションを示す。示される詳細さのレベルでは、図は、ビーコンフレーム送信機１２及びセンサーステーション１４に適用される。ステーションは、受信回路２０、送信回路２２、プロセッサ回路２４、メモリ２６、及び少なくともセンサーステーションの場合での検知回路２８を含む。プロセッサ回路２４は、受信回路２０、送信回路２２、メモリ２６及び任意で検知回路２８に接続される。受信回路２０及び送信回路２２のそれぞれは、アンテナ（図示せず）を含む。好ましくは、受信回路２０及び送信回路２２のアンテナは、受信回路２０及び送信回路２２の共有アンテナで形成される。
【手続補正５】
【補正対象書類名】明細書
【補正対象項目名】００３４
【補正方法】変更
【補正の内容】
【００３４】
実施形態において、発見ステージは、センサーステーション１４及びビーコンフレーム送信機１２（又はこれらのビーコンフレーム送信機１２に固定接続されたセンサーステーション）からの発見メッセージ、及びこれらの発見メッセージに反応する応答の使用を含む。代替的に又は加えて、ステーションは、求められていないメッセージから発見されてもよい。発見ステージ及び関連付けステージは重複してもよく、ステーションが、関連付けステージ中の関連付け要求の送信の間に、発見されたステーションの識別子の収集を継続する。代替的に、非重複の連続ステージを使用してもよい。他の実施形態において、発見ステージは、例えば具体的にアドレス指定されてない関連付け要求が使用された場合や、関連付け要求を用いてステーションが発見された場合は、無くすことさえも可能である。
【手続補正６】
【補正対象書類名】明細書
【補正対象項目名】００６６
【補正方法】変更
【補正の内容】
【００６６】
図６は、ビーコンフレーム送信機のさらなる実施形態を示す。ビーコンフレーム送信機は、図２に示されるような２つのユニット６０，６２を含み、加えて、２つのユニットのプロセッサ回路２４の間に接続されたメッセージ交換メモリ６４を含む。一つの実施形態において、互いに異なるユニット６０，６２、（より高出力の送信器２２及び／又は他のユニットと異なってプログラムされたプロセッサ回路を有する）ビーコンフレーム送信機の機能を行うように構成された第１のユニット６０と、センサーステーション１４で使用されたタイプの第２のユニット６２とが使用される。機械的に柔軟な接続６６が、ユニット６０，６２の間（例えば、第１のユニット６０の一部とすることができるメッセージ交換メモリ６４と第２のユニット６２の間）に設けられる。柔軟な接続６６は、例えば、長さが少なくとも５ｃｍである。
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
映像番組をホームネットワーク内のユーザ機器装置に配信する方法であって、
複数のフォーマットにおいて該映像番組を格納することと、
該ホームネットワーク内の第１のユーザ機器装置から、該映像番組を再生する要求を受信することと、
該第１のユーザ機器装置に対して適切な該映像番組の第１のフォーマットを識別することと、
該複数のフォーマットにおいて格納された映像番組から、該第１のフォーマットにおいて該映像番組にアクセスすることと、
該第１のフォーマットにおいて、該映像番組を該第１のユーザ機器装置に配信することと
を包含する、方法。
【請求項２】
前記ホームネットワーク内の第２のユーザ機器装置から、前記映像番組を再生する要求を受信することと、
該第２のユーザ機器装置に対して適切な該映像番組の第２のフォーマットを識別することと、
該複数のフォーマットにおいて格納された映像番組から、該第２のフォーマットにおいて該映像番組にアクセスすることと、
該第２のフォーマットにおいて、映像番組を該第２のユーザ機器装置に配信することと
をさらに包含する、請求項１に記載の方法。
【請求項３】
第１のフォーマットを識別することは、前記第１のユーザ機器装置の機能に基づいて、前記複数のフォーマットから選択することを含む、請求項１に記載の方法。
【請求項４】
映像番組をホームネットワーク内のユーザ機器装置に配信するためのシステムであって、
複数のフォーマットにおいて映像番組を格納する手段と、
該ホームネットワーク内の第１のユーザ機器装置から、該映像番組を再生する要求を受信する手段と、
該第１のユーザ機器装置に対して適切な該映像番組の第１のフォーマットを識別する手段と、
該複数のフォーマットにおいて格納された映像番組から、該第１のフォーマットにおいて該映像番組にアクセスする手段と、
該第１のフォーマットにおいて、該映像番組を該第１のユーザ機器装置に配信する手段と
を備えている、システム。
【請求項５】
前記ホームネットワーク内の第２のユーザ機器装置から、前記映像番組を再生する要求を受信する手段と、
該第２のユーザ機器装置に対して適切な該映像番組の第２のフォーマットを識別する手段と、
該複数のフォーマットにおいて格納された映像番組から、該第２のフォーマットにおいて該映像番組にアクセスする手段と、
該第２のフォーマットにおいて、該映像番組を該第２のユーザ機器装置に配信する手段と
をさらに備えている、請求項４に記載のシステム。
【請求項６】
第１のフォーマットを識別する手段は、前記第１のユーザ機器装置の機能に基づいて、前記複数のフォーマットから選択する手段を備えている、請求項４に記載のシステム。
【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
利用者が選択したメディアコンテンツの集合を備えたメディアライブラリを作成することであって、
現在利用可能でない少なくとも１つのメディアコンテンツの利用者の選択を受け取ることと、
該メディアコンテンツのブックマークを該メディアライブラリに追加することと、
を含む、作成することと、
いつ該メディアコンテンツが利用可能になるのかを判断するために、コンテンツ供給元を監視することと、
該少なくとも１つのメディアコンテンツが利用可能になったということの判断に応答して、該利用者に、該少なくとも１つのメディアコンテンツが利用可能になったということを通知することと
を含む、双方向型メディアガイドアプリケーションを提供する方法。
【請求項２】
前記少なくとも１つの利用可能なメディアコンテンツを前記メディアライブラリに追加することをさらに含む、請求項１に記載の方法。
【請求項３】
利用者装置で前記メディアライブラリにアクセスすることと、
該メディアライブラリからメディアコンテンツを選択することと、
該選択したメディアコンテンツを再生することと
をさらに含む、請求項１に記載の方法。
【請求項４】
前記選択したメディアコンテンツを、該選択したコンテンツを再生する前に購入することをさらに含む、請求項３に記載の方法。
【請求項５】
メディアライブラリを作成することが、
メディアコンテンツ用の検索語句を受け取ることと、
該検索語句に基づいてメディアコンテンツを検索することと、
検索結果を表示することと
をさらに含み、
少なくとも１つのメディアコンテンツの利用者の選択を受け取ることが、該表示された検索結果のうちの少なくとも１つの利用者の選択を受け取ることを含む、
請求項１に記載の方法。
【請求項６】
メディアライブラリを作成することが、該メディアライブラリに追加する少なくとも１つのメディアコンテンツを推奨するメッセージを受け取ることをさらに含み、
少なくとも１つのメディアコンテンツの利用者の選択を受け取ることが、少なくとも１つの推奨されたメディアコンテンツの利用者の選択を受け取ることを含む、
請求項１に記載の方法。
【請求項７】
利用者がメディアライブラリに配置する前記メディアコンテンツを監視することと、
該メディアライブラリの該監視に基づいて、前記少なくとも１つのメディアコンテンツに対する推奨を該利用者に提供することと
をさらに含む、請求項６に記載の方法。
【請求項８】
利用者が選択したメディアコンテンツの集合を備えたメディアライブラリを作成する手段であって、
現在利用可能でない少なくとも１つのメディアコンテンツの利用者の選択を受け取る手段と、
該メディアコンテンツのブックマークを該メディアライブラリに追加する手段と、
を含む、作成する手段と、
いつ該メディアコンテンツが利用可能になるのかを判断するために、コンテンツ供給元を監視する手段と、
該少なくとも１つのメディアコンテンツが利用可能になったということの判断に応答して、該利用者に、該少なくとも１つのメディアコンテンツが利用可能になったということを通知する手段と
を含む、双方向型メディアガイドアプリケーションを提供するシステム。
【請求項９】
前記少なくとも１つの利用可能なメディアコンテンツを前記メディアライブラリに追加する手段をさらに含む、請求項８に記載のシステム。
【請求項１０】
利用者装置で前記メディアライブラリにアクセスする手段と、
該メディアライブラリからメディアコンテンツを選択する手段と、
該選択したメディアコンテンツを再生する手段と
をさらに含む、請求項８に記載のシステム。
【請求項１１】
前記選択したメディアコンテンツを、該選択したコンテンツを再生する前に購入する手段をさらに含む、請求項１０に記載のシステム。
【請求項１２】
メディアライブラリを作成する手段が、
メディアコンテンツ用の検索語句を受け取る手段と、
該検索語句に基づいてメディアコンテンツを検索する手段と、
検索結果を表示する手段と
をさらに含み、
少なくとも１つのメディアコンテンツの利用者の選択を受け取る該手段が、該表示された検索結果のうちの少なくとも１つの利用者の選択を受け取る手段を含む、
請求項８に記載のシステム。
【請求項１３】
メディアライブラリを作成する前記手段が、該メディアライブラリに追加する少なくとも１つのメディアコンテンツを推奨するメッセージを受け取る手段をさらに含み、
少なくとも１つのメディアコンテンツの利用者の選択を受け取る手段が、少なくとも１つの推奨されたメディアコンテンツの利用者の選択を受け取る手段を含む、
請求項８に記載のシステム。
【請求項１４】
利用者がメディアライブラリに配置する前記メディアコンテンツを監視する手段と、
該メディアライブラリの該監視する手段に基づいて、前記少なくとも１つのメディアコンテンツに対する推奨を該利用者に提供する手段と
をさらに含む、請求項１３に記載のシステム。
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
双方向メディアガイダンスアプリケーションにおいてチャンネルグループを提供するための方法であって、
複数のメディアチャンネルを含むチャンネルグループを定義することであって、前記複数のメディアチャンネルは、ユーザ機器によって受信される前記メディアチャンネルのサブセットである、ことと、
前記チャンネルグループに関する情報を提供することであって、前記情報は、前記複数のメディアチャンネルのメディアリストを含む、ことと、
ユーザコマンドを受信し、前記チャンネルグループにおいて前記ガイダンスアプリケーションの機能を起動することと、
前記ユーザコマンドに応じて、前記チャンネルグループにおいて前記機能を実行することと
を含む、方法。
【請求項２】
前記機能を実行することは、前記複数のメディアチャンネルのそれぞれにおいて前記機能を実行することを含む、請求項１に記載の方法。
【請求項３】
ユーザコマンドを受信し、機能を起動することは、ユーザコマンドを受信し、１つ以上の選択されたチャンネルグループにおいて機能を起動することを含み、前記機能を実行することは、前記１つ以上の選択されたチャンネルグループに属する前記複数のメディアチャンネルにおいて前記機能を実行することを含む、請求項１に記載の方法。
【請求項４】
チャンネルグループを提供するための双方向メディアガイダンスシステムであって、
回路上に少なくとも部分的に実装される双方向メディアガイダンスアプリケーションを備え、該双方向メディアガイダンスアプリケーションは、
複数のメディアチャンネルを含むチャンネルグループを定義することであって、前記複数のメディアチャンネルは、ユーザ機器によって受信される前記メディアチャンネルのサブセットである、ことと、
前記チャンネルグループにおいて情報を提供することであって、前記情報は、前記複数のメディアチャンネルのメディアリストを含む、ことと、
ユーザコマンドを受信し、前記チャンネルグループにおいて前記ガイダンスアプリケーションの機能を起動することと、
前記ユーザコマンドに応じて、前記チャンネルグループにおいて前記機能を実行することと
を行うように構成される、システム。
【請求項５】
前記機能を実行するように構成される前記回路は、前記複数のメディアチャンネルのそれぞれにおいて前記機能を実行するようにさらに構成される、請求項４に記載のシステム。
【請求項６】
ユーザコマンドを受信し、機能を起動するように構成される前記回路は、ユーザコマンドを受信し、１つ以上の選択されたチャンネルグループにおいて機能を起動するようにさらに構成され、
前記機能を実行するように構成される前記回路は、前記１つ以上の選択されたチャンネルグループに属する前記複数のメディアチャンネルにおいて前記機能を実行するようにさらに構成される、請求項４に記載のシステム。
【手続補正書】
【提出日】平成21年12月15日(2009.12.15)
【手続補正１】
【補正対象書類名】特許請求の範囲
【補正対象項目名】全文
【補正方法】変更
【補正の内容】
【特許請求の範囲】
【請求項１】
メディアプログラムから、少なくとも１つの関心のあるセグメントを通信するシステムであって、該システムは、
セグメントを有するメディアプログラムを表示する表示画面であって、該セグメントは論理セグメントである、表示画面と、
プロセッサであって、
該メディアプログラムの該セグメントを識別することと、
該メディアプログラムの該セグメントから、関心のある特定セグメントを指定するユーザ入力を受信することと、
該ユーザに対して、該メディアプログラムの該被指定セグメントのみを提供することと
を行うことによって、ユーザがメディアプログラムの該セグメントから特定の関心のあるセグメントにアクセスできるように構成されているプロセッサと
を備える、システム。
【請求項２】
前記プロセッサは、
前記メディアプログラムの前記セグメントに対する関心についての情報に基づいて、該メディアプログラムの該セグメントから特定セグメントを事前に指定することであって、該情報は監視された関心に基づいている、ことと、
ユーザが該メディアプログラムの該セグメントの該事前指定を変更することを可能にすることと
を含む、請求項１に記載のシステム。
【請求項３】
前記メディアプログラムの前記セグメントに対する関心についての前記情報は、該メディアプログラムの以前のエピソードの類似物のセグメントに対する監視された関心に基づいている、請求項２に記載のシステム。
【請求項４】
前記メディアプログラムの前記セグメントに対する関心についての前記情報は、該メディアプログラムの以前のエピソード以外のメディアプログラムの類似物のセグメントに対する監視された関心に基づいている、請求項２に記載のシステム。
【請求項５】
メディアプログラムを格納する記録装置をさらに備え、該プロセッサは、該記録装置に前記指定された関心のあるセグメントを記録することを指示するように構成されている、請求項１に記載のシステム。
【請求項６】
メディアプログラムから、少なくとも１つの関心のあるセグメントを通信する方法であって、
該メディアプログラムのセグメントを識別することであって、該セグメントは論理セグメントである、ことと、
該メディアプログラムの該セグメントから、特定の関心のあるセグメントを指定するユーザ入力を受信することと、
該ユーザに、該メディアプログラムの該指定されたセグメントのみを提供することと
を含む、方法。
【請求項７】
前記メディアプログラムの前記セグメントに対する関心についての情報に基づいて、該メディアプログラムの該セグメントから特定セグメントを事前に指定することであって、該情報は監視された関心に基づいている、ことと、
ユーザが該メディアプログラムの該セグメントの該事前指定を変更することを可能にすることと
をさらに含む、請求項６に記載の方法。
【請求項８】
前記メディアプログラムの前記セグメントに対する関心についての前記情報は、該メディアプログラムの以前のエピソードの類似物のセグメントに対する監視された関心に基づいている、請求項７に記載の方法。
【請求項９】
前記メディアプログラムの前記セグメントに対する関心についての前記情報は、該メディアプログラムの以前のエピソード以外のメディアプログラムの類似物のセグメントに対する監視された関心に基づいている、請求項７に記載の方法。
【請求項１０】
前記指定された関心のあるセグメントを記録することをさらに含む、請求項６に記載の方法。
【請求項１１】
メディアプログラムから少なくとも１つの関心のあるセグメントを通信する方法であって、該メディアプログラムは対話型プログラムガイドを介してアクセスされ、該方法は、
メディアプログラムの該セグメントを識別することであって、該セグメントは論理セグメントである、ことと、
該メディアプログラムの該セグメントから、特定の関心のあるセグメントを指定するユーザ入力を受信することと、
該ユーザに該メディアプログラムの該指定されたセグメントのみを提供することと
を含む、方法。